(57)【要約】【課題】  本発明は家具の転倒防止具がそれと気が付かない程見映えよく行え、しかも家具は勿論、壁面や天井面を傷つけるこがとない収納ボックスセットを提供することを課題とする。【解決手段】  室内の壁に設けられた凹空間(R)や通路のような対向する壁面(20)間にその側面板(3)を当接させて立設させる一対の収納ボックス(1)と、収納ボックス(1)の対向面(3a)を突っ張り固定する突っ張り棒(10)とで構成されたことを特徴とし、これによって地震に見舞われたとしても壁面(20)や突っ張り棒(10)が抵抗となって凹空間(R)や通路のような対向する壁面(20)間で収納ボックス(1)が転倒するようなことがない。【選択図】図２
2013076283.tif 000002
【特許請求の範囲】
【請求項１】
対向する壁面にその側面板を当接させて立設させる一対の収納ボックスと、
収納ボックスの対向面を突っ張り固定する突っ張り棒とで構成されたことを特徴とする収納ボックスセット。
【請求項２】
突っ張り棒の上方にて一対の収納ボックス間に架設された枕棚板と、
枕棚板から垂設され、突っ張り棒を支持する支持ブラケットとで構成されたことを特徴とする請求項１に記載の収納ボックスセット。
【発明の詳細な説明】
【技術分野】
【０００１】
本発明は、外観に優れ且つ耐震性も備えた収納ボックスセットに関する。
【背景技術】
【０００２】
従来から地震等による家具の転倒防止のために種々の方法が用いられているが、基本的には、(a)  家具を壁面（下地部分）に金具で固定したり、(b)  家具の天板と直上の天井との間に突っ張り型の転倒防止具を設置してこれで突っ張るようにすることで、家具が転倒しないように固定しており、例えば、後者には下記のような先行技術文献１〜２がある。
【０００３】
(a)の場合は、家具や壁面に固定用の金具を取り付けるためのねじ孔やビス孔を設けなければならず、特に、新築の家屋では壁や柱に傷をつけることには拒否反応が高い。賃貸の場合では、契約でねじ孔やビス孔を設けられないという場合もある。
【０００４】
(b)の場合の前者は、家具の上面に脚部が載置され、この脚部の中央から上方に伸びる筒体に長さ調整管の下端側を挿入し、この長さ調整管の上端側を天井に押圧される頭部の筒体に摺動自在に挿入し、この頭部の筒体内にバネ部材を配設して長さ調整管の上端と頭部の筒体の閉塞端との間に生じるバネ部材の弾発力を利用して頭部を天井に押圧すると共にその反力にて家具の上面を押圧して家具の転倒を防止するというものである。
【０００５】
後者も同様のものであるが、バネの代わりに左右ねじを利用する形式のものである。即ち、家具の上面上に設置される下側逆門形体と、天井の面に当接状に設置される上側門形体と、下側逆門形体及び上側門形体に上下方向に設けられた支持用筒体に挿入固定されて両者を連結する１対の連結体とで構成されていて、連結体は、右ねじが刻設された連結用下側パイプと、左ねじが刻設された連結用上側パイプと、内周面に左右ナットがそれぞれ刻設されていて連結用下側パイプの右ねじと連結用上側パイプの左ねじがそれぞれ螺入されている回動操作ナット部材とで構成され、回動操作ナット部材を正転・逆転させることで連結体を伸縮させ、家具固定時には、回動操作ナット部材を突っ張り側に回転させて伸ばし、天井と家具との間を突っ張り固定するというものである。
【０００６】
いずれもこれら転倒倒防止具によって家具に対する突っ張り強度を高めて地震時に転倒倒防止具が外れにくくなるようにして確実に機能し安定性を高めたものを提供するとしている。
【先行技術文献】
【特許文献】
【０００７】
【特許文献１】特開平８−２３８１３７
【特許文献２】実用新案登録第３１１０１６２号公報
【発明の概要】
【発明が解決しようとする課題】
【０００８】
しかしながらこれら先行技術文献記載の発明は、家具の天板と天井との間に配設された転倒防止具が見えて外観が悪く、しかもマンションのコンクリート製の天井下地部分のように直接押圧力に耐えられるような箇所を選択するようにしなければ突っ張り力が十分働かず、Ｔバーに天井板を取り付けた通常の天井や、天井板を張り渡しただけの天井では強度的に天井面に垂直に掛かる転倒防止具の突っ張り力に十分耐えることができず、外観的には突っ張り型の転倒防止具を設置し、補強されたように見えるが、実際の地震のような大きな水平方向の揺れが家具に働いた場合に、位相のずれによる家具と天井の反対方向への相対水平移動或いは同方向の移動であっても両者の間の振幅のずれにより転倒防止具が転倒して外れたり（特に、家具と天井との間が広く、転倒倒防止具が長い場合に顕著である。）、突っ張り力が大き過ぎると地震の揺れによって突き上げられた転倒防止具によって天井面に凹みや破損が生じたりするという不具合が生じる。
【０００９】
本発明はかかる従来例に鑑みてなされたもので、家具の転倒防止具がそれと気が付かない程見映えよく行え、しかも家具は勿論、壁面や天井面を傷つけることがない収納ボックスセットを提供することを発明の課題とする。
【課題を解決するための手段】
【００１０】
請求項１に記載の収納ボックスセット(A)は、
対向する壁面(20)にその側面板(3)を当接させて立設させる一対の収納ボックス(1)と、
収納ボックス(1)の対向面(3a)を突っ張り固定する突っ張り棒(10)とで構成されたことを特徴とする。
【００１１】
請求項２に記載の収納ボックスセット(A)は、請求項１の改良で、
突っ張り棒(10)の上方にて一対の収納ボックス(1)間に架設された枕棚板(15)と、
枕棚板(15)から垂設され、突っ張り棒(10)を支持する支持ブラケット(16)とで構成されたことを特徴とする。
【発明の効果】
【００１２】
左右一対の収納ボックス(1)の側面板(3)を壁面(20)に当接させて配設し、その対向面(3a)同士に突っ張り棒(10)を突っ張り状態で架設して固定するので、仮にこの状態で地震に見舞われたとしても収納ボックス(1)に加わる一方の揺れに対しては壁面(20)がこれを拘束し、他方向の揺れに対しては突っ張り棒(10)がこれを拘束することになるので、収納ボックス(1)が転倒するようなことがない。しかも、収納ボックス(1)は突っ張り支持であるから、壁面(20)に収納ボックス(1)を固定具（釘、ビス等）で固定する必要がなく、部屋を傷つけない。しかも、副次的な効果であるが、収納ボックス(1)がフリーなので、模様替えも簡単にできる。
【００１３】
また、突っ張り棒(10)を使用した場合、突っ張り棒(10)の狭い当接部分に突っ張り荷重が集中するが、突っ張り棒(10)の狭い当接部分は収納ボックス(1)の対向面(3a)なので、壁面(20)方向に突っ張った際に、窪みや傷が壁面(20)に生じることはない。
【００１４】
更に、枕棚板(15)が突っ張り棒(10)の上方に設けられているので、枕棚板(15)の上部が棚として使用できるし、突っ張り棒(10)が枕棚板(15)から垂設されたブラケット(16)で支持されているので、長尺の突っ張り棒(10)が中央部分で垂れ下がって突っ張り力が低下するのを防ぐこともできる。突っ張り棒(10)を枕棚板(15)の中央付近で支持すればその支持効果は顕著である。
【図面の簡単な説明】
【００１５】
【図１】本発明の第１実施例の平断面図。
【図２】図１の正面図。
【図３】図１の突っ張り棒部分の拡大断面図。
【図４】図１の縦断面図。
【図５】図１の縦前板部分からの部分拡大斜視図
【発明を実施するための形態】
【００１６】
以下、本発明を図示実施例にて詳述する。収納ボックスセット(A)は、部屋の壁の一部を矩形状に凹ませた空間やクローゼットのような凹空間(R)或いは通路のような対向する壁面(20)間に設置されるもので、本実施例では幅の異なる一対で対称形（勿論、同幅でもよいし、同一形状でもよい。）の収納ボックス(1)と、一対の収納ボックス(1)の上端に架け渡される枕棚板(15)と、突っ張り棒(10)とで構成されている。
【００１７】
収納ボックス(1)は、図の実施例では収納棚で、側面板(3)、この背面側に直角に取り付けられ、幅の広い背面板(2)、この前面側に直角に取り付けられ、背面板(2)より幅の狭い縦前板(26)、側面板(3)と背面板(2)との内角側にその２辺が支持され、且つ前面側では縦前板(26)と狭い幅で側面板(3)に続く部位（側面板(3)に近い辺）が支持され、側面板(3)の反対側の辺及び前面側の大半の辺が開放している複数段の開放棚(4)、側面板(3)と背面板(2)及び縦前板(26)で構成される空間の最上部に枕棚板(15)の板厚分だけ下側に控えられて設けられた枕棚板支持板(5)とで構成され、枕棚板支持板(5)、縦前板(26)、側面板(3)及び背面板(2)とで囲まれた上方部分が係止部(7)となる。枕棚板支持板(5)と縦前板(26)との間には横前板(25)が入り込む隙間が形成されている。従って、枕棚板支持板(5)は側面板(3)と背面板(2)との内角側にその２辺が支持されている。
【００１８】
そして、側面版(3)の前縁側上部にて枕棚板支持板(5)から少し下がったところに嵌め込み凹穴(3b)が掘り込みにて形成されている。収納ボックス(1)は前記のような収納棚に限られず、適宜の形状のものを採用することが出来る。いずれの形式の収納ボックス(1)にも共通するが、一対の収納ボックス(1)における枕棚板支持板(5)の床面からの高さは等しい。
【００１９】
枕棚板(15)は厚板の木材（挽材、合板、集成材、ＬＶＬ等）で形成され、棚板本体(15a)と、その両端の掛止部分(15b)を残してその前縁に垂下して取り付けられた横前板(25)とで構成され、例えばクローゼットのような凹空間(R)の対向する壁面(20)に当接させて収納ボックス(1)をセットした時に、収納ボックス(1)の枕棚板支持板(5)間に架設される。
【００２０】
棚板本体(15a)は収納ボックス(1)の側面板(3)には届かず、隙間(K)が生じるだけの長さに設定された前記厚板の木材からなり、幅は枕棚板支持板(5)より若干狭く、背面板(2)と縦前板(26)との間（即ち、係止部(7)）にスムーズに入り込めるようになっている。
【００２１】
突っ張り棒(10)は、例えば凹空間(R)の開口幅の半分より長い太径パイプ(11)及び太径パイプ(11)内にスライド自在に挿入される細径パイプ(12)、両パイプ(11)(12)の先端に装着されるパイプ支持具(13)(14)、太径パイプ(11)内に収納され、太径パイプ(11)側のパイプ支持具(13)と太径パイプ(11)に挿入された細径パイプ(12)の挿入端に間に配設され、細径パイプ(12)を押し出す方向に弾発付勢する圧縮バネ(17)、太径パイプ(11)に収納され、圧縮バネ(17)の両端にそれぞれ接する座金(13c)とで構成されている。更に、太径パイプ(11)の挿入側端部外周にはネジ取付用パイプ(11a)が例えば圧入のような固定方法で取り付けられており、ネジ取付用パイプ(11a)に刻設されたネジ孔に手回し可能な例えば蝶ボルト(11c)が螺着され細径パイプ(12)の外面に圧接するようになっている。
【００２２】
パイプ支持具(13)(14)は、両パイプ(11)(12)の先端にねじ止め或いは圧入などの方法で固定して装着されるもので、本実施例では細径で、両パイプ(11)(12)の先端がそれぞれ装着される盲穴が形成された細径部(13a)(14a)、細径部(13a)(14a)に一体的に繋がり同心円状且つ段付き状に形成される太径部(13b)(14b)とで構成されている。勿論、太径部(13b)(14b)を設けず、細径部(13a)(14a)をストレートに伸ばしたものでもよい。なお、図示していないが、このパイプ支持具(13)(14)は両パイプ(11)(12)の先端に装着する代わりに収納ボックス(1)の対向面(3a)にビス止めし、これに両パイプ(11)(12)の先端を嵌め込むように取り付けてもよい。
【００２３】
ブラケット(16)はダイカスト或いは樹脂製で、太径パイプ(11)が挿入される通孔(16d)が穿設されている支持部分(16a)、枕棚板(15)の下面にビス止めされる取付部(16c)及び支持部分(16a)と取付部(16c)とを接続する脚部(16b)とで構成されている。このブラケット(16)は、装着前はこのブラケット(16)の通孔(16d)に太径パイプ(11)を挿通させた状態で用意されている。そして、突っ張り棒(10)自体は蝶ボルト(11c)がネジ止めされず、圧縮バネ(17)が伸びきった状態で保管されている。
【００２４】
しかして、一対の収納ボックス(1)を、例えば凹空間(R)のような左右の対向する壁面(20)に当接させて立設する。この場合、収納ボックス(1)を奥壁(21)に当接させることが収納ボックス(1)と奥壁(21)の間にデッドスペースが出来ず好ましい。続いて枕棚板(15)の両端の掛止部分(15b)を収納ボックス(1)の係止部(7)に上から嵌め込む。この時、横前板(25)と棚板支持板(5)との間の隙間に横前板(25)の端部が嵌り込む。前述のように棚板本体(15a)の全長は、側面板(3)の対向面(3a)間の幅より若干短いので前述の隙間(K)が生じる。
【００２５】
また、枕棚板(15)の上方は凹空間(R)の天井との間にスペースが出来るからこの部分も収納空間として利用できる。
【００２６】
続いて、突っ張り棒(10)の圧縮バネ(17)を圧縮して突っ張り棒(10)の全長を縮め、両端のパイプ支持具(13)(14)を収納ボックス(1)の対向面(3a)に穿設した嵌め込み凹穴(3b)にそれぞれ嵌め込み、突っ張り状で支持した後、蝶ボルト(11c)を締め込んで突っ張り棒(10)の長さを固定する。その後、前記両嵌め込み凹穴(3b)を結ぶ線に平行で、枕棚板(15)の下面に引いた線上の枕棚板(15)の中央部分にブラケット(16)の取付部(16c)を取り付ける。これによって、突っ張り棒(10)と係止部(7)に嵌め込まれた枕棚板(15)とは連結し、一対の収納ボックス(1)、枕棚板(15)及び突っ張り棒(10)は一体化する。突っ張り棒(10)は横前板(25)の下縁から若干下に位置し、ハンガー掛けのように見え且つ実際にハンガー掛けとしての役割を果たし、外観的には転倒防止具とは見えない。
【００２７】
この状態で、地震に見舞われた場合、一方の揺れに対しては壁面(20)がこれを拘束し、他方向の揺れに対しては突っ張り棒(10)及びこれと連結し、且つ係止部(7)に嵌め込まれている枕棚板(15)が一体となって収納ボックス(1)を拘束することになるので、壁面(20)に収納ボックス(1)を固定具（釘、ビス等）で固定していなくとも転倒するようなことはない。副次的には固定具を使用しないので、部屋を傷つけないし、収納ボックス(1)がフリーなので、模様替えも簡単にできる。また、この時前述のように突っ張り棒(10)による窪みや傷が壁面(20)に生じることはない。また、突っ張り棒(10)の両端のパイプ支持具(13)(14)が嵌め込み凹穴(3b)にそれぞれ嵌め込まれておれば、揺れによって突っ張り棒(10)が脱落するようなこともなく、耐震性向上に寄与する。上記では突っ張り棒(10)の両端のパイプ支持具(13)(14)が嵌め込み凹穴(3b)に嵌め込まれている例を示したが、勿論これに限られず、嵌め込み凹穴(3b)を設けることなく対向面(3a)に直接当接させて突っ張らせてもよいし、ビス止めや接着による固定、或いはパイプ支持具(13)(14)の突っ張り面又は側面板(3)の対向面(3a)の少なくともいずれかに滑り止め（滑り止め部材を介挿してもよい。）を施して突っ張らせてもよい。
【符号の説明】
【００２８】
(A)・・・収納ボックスセット
(K)・・・隙間
(1)・・・収納ボックス
(2)・・・背面板
(3)・・・側面板
(3a)・・収納ボックスの対向面
(3b)・・嵌め込み穴
(4)・・・開放棚
(5)・・・枕棚板支持板
(7)・・・係止部
(10)・・突っ張り棒
(11)・・・太径パイプ
(11a)・・ネジ取付用パイプ
(11c)・・蝶ボルト
(12)・・・細径パイプ
(13)(14)・・・パイプ支持具
(13a)(14a)・・細径部
(13b)(14b)・・太径部
(15)・・枕棚板
(16)・・ブラケット
(16a)・・支持部分
(16b)・・脚部
(16c)・・取付部
(16d)・・通孔
(17)・・圧縮ばね
(20)・・壁面
(21)・・奥壁
(25)・・横前板
(26)・・縦前板
【図１】
2013076283.tif 000003
【図２】
2013076283.tif 000004
【図３】
2013076283.tif 000005
【図４】
2013076283.tif 000006
【図５】
2013076283.tif 000007